(57)【特許請求の範囲】
【請求項１】
人体局部を洗浄する洗浄ノズルと、
前記洗浄ノズルの動作に必要な電気を外部電源から供給する電源部と、
前記洗浄ノズル及び前記電源部が設けられたケーシングと、
前記ケーシングは、下ケースと、前記下ケースを覆う上ケースと、を有し、
前記下ケースの周縁から上方に延びた壁面部と、
前記壁面部の一部と連続し、かつ、前記壁面部より高くなるよう前記下ケースから上方に延設することで形成された浸入防止壁部と、を有し、
前記浸入防止壁部は、前記電源部の三方を前記電源部と近接した位置で囲うように形成され、前記上ケースによって残った一方を前記電源部と近接した位置で、前記浸入防止壁部と当接するよう塞ぐ衛生洗浄装置。
【請求項２】
前記上ケースから前記浸入防止壁部の上端と当接する当接リブを、備える請求項１に記載の衛生洗浄装置。
【発明の詳細な説明】
【技術分野】
【０００１】
本発明の態様は、人体局部を洗浄する衛生洗浄装置に関する。
【背景技術】
【０００２】
従来の衛生洗浄装置は、ケーシングの内部に貯湯タンクや熱交換機等が配置されており、季節によってはトイレ室内の待機の温度とケーシング内部との温度との温度差が大きくなる。そのため、温度差によりケーシング内部で結露することがあった。また、洗浄ノズルから温水を噴射して人体洗浄を行うものもあり、その温水から発生した湯気（湿潤空気）がケーシング内部に侵入することで、ケーシング内部で結露することもあった。
【０００３】
結露発生を抑制するため従来の衛生洗浄装置は、下ケースの後方壁の高さをなるべく低くしていた。これにより、ケーシング内の空気が内部に留まることを抑制でき、ケーシング内の空気とケーシング外の外気との空気置換が行われやすく、結露発生を抑制できる。（特許文献１）
【０００４】
しかしながら、下ケースの後方壁の高さが低いと下ケースと上ケースの間から、ケーシング内部に水が浸入してしまい、内部が被水してしまうおそれがあった。
【先行技術文献】
【特許文献】
【０００５】
【特許文献１】特開２０１３−９６０９０号公報
【発明の概要】
【発明が解決しようとする課題】
【０００６】
本発明は、かかる課題の認識に基づいてなされたものであり、ケーシング内部の結露を抑制しつつも、ケーシング内部に水が浸入しない衛生洗浄装置を提供することを目的とする。
【課題を解決するための手段】
【０００７】
第１の発明は、人体局部を洗浄する洗浄ノズルと、前記洗浄ノズルの動作に必要な電気を外部電源から供給する電源部と、給水源から供給される水を所定の温度に加熱する加熱部と、前記洗浄ノズル及び前記電源部が設けられたケーシングと、前記ケーシングは、下ケースと、前記下ケースを覆う上ケースと、を有し、下ケースと上ケースとで囲まれた空間内に前記加熱部が収容され、前記下ケースの周縁から上方に延びた壁面部と、前記壁面部の一部が周囲の壁面部より高く形成された浸入防止壁部と、を有し、前記浸入防止壁部は、前記電源部の三方を囲うように形成され、前記上ケースによって残った一方を塞ぐ衛生洗浄装置である。
【０００８】
この衛生洗浄装置によれば、電子部品が集中しやすい電源部付近の壁を高くすることで、水の浸入を防ぎつつも、他の壁面部は低い構造のため、ケーシング内部の空気と外部の空気の置換を効率よく行うことができる。そのため、電源部付近からの水の浸入を防ぎつつ、結露発生を抑制できる。
【０００９】
また、第２の発明は、前記上ケースから前記浸入防止壁部の上端と当接する当接リブを、備える請求項１に記載の衛生洗浄装置である。
【００１０】
この衛生洗浄装置によれば、電源部を外部電源に接続する場合に、使用者がケーシングに手を着いて作業を行っても、電源部付近のケーシングが壊れたりすることを抑制できる。
【００１１】
この衛生洗浄装置によれば、ケーシング内部の結露を抑制しつつも、ケーシング内部に水を浸入させない構成とすることができる。
【発明の効果】
【００１２】
本発明の態様によれば、ケーシング内部の結露を抑制しつつも、ケーシング内部に水が浸入しない衛生洗浄装置が提供される。
【図面の簡単な説明】
【００１３】
【図１】本発明の実施の形態にかかる衛生洗浄装置を備えたトイレユニットを表す斜    視図である。
【図２】本発明の実施の形態にかかるトイレユニットを表す分解斜視図である。
【図３】本発明の実施の形態にかかるトイレユニットの一部を表す部分断面図である    。
【図４】本発明の実施の形態にかかる衛生洗浄装置の内部構造を表す平面図である。
【図５】本発明の実施の形態にかかる衛生洗浄装置の内部構造を表す斜視図である。
【図６】本発明の実施の形態にかかる衛生洗浄装置の左側方視の断面図である。
【発明を実施するための形態】
【００１４】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレユニットを表す斜視図である。  
図１に表したように、トイレユニット１０は、洋式腰掛便器（以下説明の便宜上、単に「便器」と称する）５０と、その上に設けられた衛生洗浄装置１００（トイレ装置）と、を備える。衛生洗浄装置１００は、ケーシング１１０と、便座１２０と、便蓋１３０と、を有する。便座１２０と便蓋１３０とは、ケーシング１１０に対して開閉自在にそれぞれ軸支されている。
【００１５】
ここで、本願明細書においては、便座１２０に座った使用者からみて上方を「上方」とし、便座１２０に座った使用者からみて下方を「下方」とする。また、開いた状態の便蓋１３０に背を向けて便座１２０に座った使用者からみて前方を「前方」とし、便座１２０に座った使用者からみて後方を「後方」とする。また、後方を向いて便器５０の前に立った使用者からみて右側を「右側方」とし、後方を向いて便器５０の前に立った使用者からみて左側を「左側方」とする。
【００１６】
便器５０は、上面５０ａを有する。上面５０ａは、例えば、便器５０をトイレ空間の床面に載置した状態において、床面と実質的に平行となる平面である。上面５０ａは、床面に対して傾斜していてもよいし、床面からの高さが異なる複数の面を有していてもよい。  
【００１７】
また、便器５０は、ボウル部５１を有する。ボウル部５１は、上面５０ａから下方に凹む凹状である。便器５０は、ボウル部５１において使用者の尿や便などの排泄物を受ける。ボウル部５１は、図示を省略した排水トラップ管路に接続されている。ボウル部５１は、排水トラップ管路や排水ソケットなどを介して排水管に接続され、排泄物などを排水管に流す。また、ボウル部５１及び排水トラップ管路は、非使用時において所定量の水をボウル部５１内に溜められるように形成されている。
【００１８】
ボウル部５１は、上面５０ａの前方に寄せて配置されている。衛生洗浄装置１００のケーシング１１０は、上面５０ａのボウル部５１よりも後方の部分の上に載置される。このように、ケーシング１１０は、ボウル部５１よりも後方において便器５０の上に載置される。換言すれば、上面５０ａは、ボウル部５１よりも後方に、衛生洗浄装置１００のケーシング１１０を載置するための載置領域を有する。
【００１９】
便器５０は、例えば、陶磁器製である。便器５０の材料は、樹脂などでもよい。便器５０は、例えば、陶磁器と樹脂との組み合わせで形成してもよい。
【００２０】
図２は、本発明の実施の形態にかかるトイレユニットを表す分解斜視図である。  
図３は、本発明の実施の形態にかかるトイレユニットの一部を表す部分断面図である。  図２及び図３に表したように、衛生洗浄装置１００のケーシング１１０は、下ケースであるベースプレート２００と、上ケースである本体カバー２１０と、を有する。本体カバー２１０は、ベースプレート２００の上方を覆う。ケーシング１１０は、ベースプレート２００と本体カバー２１０とで囲まれた空間内に、身体洗浄などを行うための機能部を収容する。ベースプレート２００及び本体カバー２１０には、例えば、樹脂材料が用いられる。
【００２１】
ベースプレート２００の後端付近には、便器５０への取り付けに用いられる取付穴２０２が設けられている。取付穴２０２は、ベースプレート２００に設けられた貫通孔である。この例では、左右方向に並ぶ２つの取付穴２０２が、ベースプレート２００に設けられている。各取付穴２０２は、例えば、ベースプレート２００の左右方向の中心に対して略対称に配置される。取付穴２０２の数は、２つに限ることなく、１つでもよいし、３つ以上でもよい。また、取付穴２０２の配置は、衛生洗浄装置１００を便器５０に対して適切に取り付けることができる任意の位置でよい。
【００２２】
便器５０には、一対の貫通孔５２が設けられている。各貫通孔５２は、衛生洗浄装置１００を便器５０の上の適切位置に載置した状態において、各取付穴２０２と対向する位置に設けられている。各貫通孔５２の数及び位置は、各取付穴２０２に対応する。これにより、トイレユニット１０においては、衛生洗浄装置１００を便器５０の上に載置した時に、便器５０の下方からケーシング１１０の内部へと連通する貫通路が形成される。
【００２３】
互いに対向する一対の貫通孔５２及び取付穴２０２には、便器５０の下方側からボルト２０（取付部材）が挿通される。従って、この例では、一対のボルト２０が、各貫通孔５２及び各取付穴２０２のそれぞれに挿通される。貫通孔５２及び取付穴２０２は、ボルト２０を挿通可能な大きさに形成される。貫通孔５２の径及び取付穴２０２の径は、例えば、ボルト２０の径よりも僅かに大きい程度に設定される。
【００２４】
ケーシング１１０内には、ナット２２０（被取付部材）が設けられている。ナット２２０は、ケーシング１１０内において取付穴２０２の上に設けられる。この例では、一対のナット２２０が、各取付穴２０２のそれぞれの上に設けられる。ベースプレート２００には、各ナット２２０のそれぞれを保持するための一対の凹部２０４が設けられている。各ナット２２０は、各凹部２０４内に嵌め込まれた状態でベースプレート２００に保持される。各取付穴２０２は、各凹部２０４の底面に連続する貫通孔である。従って、各凹部２０４及び各ナット２２０は、ベースプレート２００の左右方向の中心に対して略対称に配置される。
【００２５】
各ボルト２０は、頭部２０ａと、頭部２０ａから延びる丸棒状のネジ部２０ｂと、を有する。ネジ部２０ｂの延びる方向と直交する方向において、頭部２０ａの幅（径）は、ネジ部２０ｂの径よりも大きい。ネジ部２０ｂの外周面には、雄ネジが設けられている。
【００２６】
各ナット２２０は、貫通孔２２０ａを有する。貫通孔２２０ａの径は、ボルト２０のネ
ジ部２０ｂの径と実質的に同じである。貫通孔２２０ａには、ボルト２０のネジ部２０ｂ
が挿通される。また、貫通孔２２０ａの内周面には、ボルト２０のネジ部２０ｂの雄ネジ
と螺合する雌ネジが設けられている。これにより、ナット２２０は、貫通孔２２０ａの雌
ネジをボルト２０のネジ部２０ｂの雄ネジに螺合させることにより、ボルト２０に取り付
けられる。
【００２７】
衛生洗浄装置１００の便器５０への取り付けにおいては、衛生洗浄装置１００を便器５
０の上に載置した後、便器５０の貫通孔５２及びベースプレート２００の取付穴２０２に
、便器５０の下方からボルト２０を挿通する。そして、ボルト２０とナット２２０とを螺
合させる。これにより、ボルト２０の頭部２０ａとナット２２０との間に、ベースプレー
ト２００及び便器５０が挟み込まれ、衛生洗浄装置１００が便器５０の上に取り付けられ
る。このように、衛生洗浄装置１００は、ボルト２０を介して便器５０に取り付けられる
。ボルト２０は、換言すれば、衛生洗浄装置１００を便器５０に締結するための締結部材
である。ナット２２０は、換言すれば、締結部材に締結される被締結部材である。
【００２８】
図４は、本発明の実施の形態にかかる衛生洗浄装置の内部構造を表す平面図である。  
図４に表したように、衛生洗浄装置１００は、機能部２３０をさらに備える。機能部２
３０は、ベースプレート２００の上に設けられる。本体カバー２１０は、機能部２３０を
覆う。ケーシング１１０は、ベースプレート２００と本体カバー２１０とで囲まれた空間
内に、機能部２３０を収容する。なお、図４では、便宜的に、本体カバー２１０などの一
部の部材を省略して図示している。
【００２９】
機能部２３０は、例えば、加熱部２３１と、洗浄ノズル２３２と、送風ファン２３３と
、脱臭ファン２３４と、制御部２３５と、を備える。制御部２３５は、加熱部２３１と、
洗浄ノズル２３２と、送風ファン２３３と、脱臭ファン２３４などの機能部２３０の各部
の動作を制御する。また、衛生洗浄装置１００は、図示を省略したリモコンなどの操作部
を有し、制御部２３５は、操作部からの指示に応じて各部の動作を制御する。
【００３０】
加熱部２３１は、給水源から供給される水を所定の温度に加熱する。なお、本願明細書
において「水」という場合には、冷水のみならず、加熱されたお湯も含むものとする。加
熱部２３１には、例えば、貯湯加熱式の熱交換器が用いられる。加熱部２３１は、セラミ
ックヒータなどを用いた瞬間加熱式（瞬間式）の熱交換器でもよい。さらには、加熱部２
３１は、熱交換器に限ることなく、例えば、マイクロ波加熱を利用するものなど、他の加
熱方式を用いたものでもよい。
【００３１】
加熱部２３１は、制御部２３５と接続されている。制御部２３５は、例えば、使用者に
よる操作部の操作に応じて加熱部２３１を制御することにより、操作部で設定された温度
に水を加熱する。
【００３２】
洗浄ノズル２３２は、便器５０のボウル部５１内に進出した位置と、本体カバー２１０
内に収納された位置と、に移動する。洗浄ノズル２３２の進退移動は、制御部２３５によ
って制御される。洗浄ノズル２３２の先端部には、吐水口２３２ａが設けられている。洗
浄ノズル２３２は、加熱部２３１の下流側に設けられ、加熱部２３１で加熱された水を吐
水口２３２ａから噴射する。
【００３３】
制御部２３５は、操作部からの身体洗浄の指示に応じて加熱部２３１を動作させ、給水
源から供給された水を加熱する。そして、制御部２３５は、洗浄ノズル２３２をボウル部
５１内に進出させ、加熱後の水を便座１２０に座った使用者の「おしり」などの人体局部
に向けて噴射する。これにより、機能部２３０によって、使用者の人体局部が洗浄される
。
【００３４】
送風ファン２３３には、送風ダクト２４０が接続されている。送風ファン２３３は、送
風ダクト２４０を介して、便座１２０に座った使用者の人体局部に風を吹き付ける。また
、送風ダクト２４０内には、図示を省略したヒータが設けられている。ヒータは、送風ダ
クト２４０内を通過する風を温める。これにより、使用者の人体局部に向けて温風を吹き
付けることができる。
【００３５】
制御部２３５は、例えば、操作部からの指示に応じて送風ファン２３３及びヒータを動
作させ、使用者の人体局部に温風を吹き付ける。これにより、例えば、身体洗浄によって
濡れた使用者の人体局部を乾燥させることができる。
【００３６】
脱臭ファン２３４には、脱臭ダクト２４２と、排出ダクト２４４と、が接続されている
。脱臭ダクト２４２は、ケーシング１１０が便器５０の上に取り付けられた状態において
、便器５０のボウル部５１に連通する。また、脱臭ダクト２４２は、脱臭ファン２３４の
吸引口に連通する。これにより、脱臭ダクト２４２は、ボウル部５１から脱臭ファン２３
４の吸引口へと至る風路を形成する。
【００３７】
脱臭ファン２３４は、脱臭ダクト２４２を介してボウル部５１内の空気を吸引する。脱
臭ファン２３４は、吸引した空気を図示を省略した脱臭触媒に向けて吹き出す。脱臭触媒
は、脱臭ファン２３４によって吹き込まれた空気中の臭気成分を、分解あるいは吸着する
ことで臭気を除去する。
【００３８】
排出ダクト２４４は、脱臭ファン２３４の排気口に連通している。排出ダクト２４４は
、脱臭触媒によって臭気が除去された空気を排気口２４４ａを介してケーシング１１０の
外部に排出する。
【００３９】
制御部２３５は、例えば、図示を省略した着座検知センサによる使用者の着座の検知に
基づいて脱臭ファン２３４を動作させる。制御部２３５は、例えば、着座検知センサの検
知結果を基に、使用者が便座１２０から離れたことに応答して脱臭ファン２３４を動作さ
せ、所定時間の経過の後に、脱臭ファン２３４の動作を停止させる。これにより、例えば
、トイレ空間内の臭気を抑えることができる。
【００４０】
このように、機能部２３０は、例えば、使用者の人体局部の洗浄を行う身体洗浄機能、
使用者の人体局部に向けて温風を吹き付けて乾燥させる温風乾燥機能、ボウル部５１内の
空気の脱臭を行う脱臭機能などを有する。機能部２３０の機能は、上記に限定されない。
例えば、機能部２３０は、トイレ空間に温風を吹き出してトイレ空間内を暖房する室内暖
房機能などをさらに有してもよい。機能部２３０は、少なくとも身体洗浄機能を有してい
ればよい。
【００４１】
図５は、本発明の実施の形態にかかる衛生洗浄装置の内部構造を表す斜視図である。ベースプレート２００は、後方の周縁から上方に延びた壁面部２４６を有する。
【００４２】
ケーシング１１０の左側方に電源部３００が設けられている。電源部３００の一方から伸びるケーブル３０２ａは、図示しない住宅の外部電源（コンセント等）と接続され、電気を衛生洗浄装置１００に供給する。また、電源部３００の他方から伸びるケーブル３０２ｂは、制御部２３５に接続される。電源部３００は、漏電防止や過電圧防止、送電遮断を行う機能がある。
【００４３】
壁面部２４６の左側方の位置に、周囲の壁面部２４６より高く形成された浸入防止壁部２４８が形成されている。電源部３００の三方を囲うように形成され、浸入防止壁部２４８の高さは電源部３００より高い。残りの一方は、本体カバー２１０を装着することで、塞ぐことができる（図６参照）。
【００４４】
上記構成とすることで、電源部付近からの水の浸入を防ぐことができ、他の壁面部２４６は低い構造のため、ケーシング内部の空気と外部の空気の置換を効率よく行うことができる。そのため、電源部付近からの水の浸入を防ぎつつ、結露発生を抑制できる。
【００４５】
図６は本発明の実施の形態にかかる衛生洗浄装置の左側方視の断面図である。本体カバー２１０の上部から浸入防止壁部２４８の上端と当接する当接リブ２１２が形成されている。
【００４６】
上記構成とすることで、電源部３００を外部電源に接続する場合に、使用者がケーシング１１０に手を着いて作業を行っても、電源部３００付近のケーシング１１０が壊れたりすることを抑制できる。また、電源部３００は左右前後方向をケーシング１１０によって囲われるため、外部からの衝撃に強い。
【００４７】
上記各実施形態では、人体局部の洗浄機能を有する衛生洗浄装置１００をトイレ装置と
して示している。トイレ装置は、衛生洗浄機能を有するものに限らない。トイレ装置は、
例えば、脱臭機能のみを有するもの、便座の暖房機能のみを有するもの、室内の暖房機能
のみを有するもの、便器の除菌機能のみを有するなどでもよい。機能部は、例えば、衛生
洗浄機能、脱臭機能、便座暖房機能、室内暖房機能、便器除菌機能などの少なくともいず
れかの機能を有するものであればよい。
【００４８】
以上、本発明の実施の形態について説明した。しかし、本発明はこれらの記述に限定さ
れるものではない。前述の実施の形態に関して、当業者が適宜設計変更を加えたものも、
本発明の特徴を備えている限り、本発明の範囲に包含される。例えば、トイレユニット１
０及び衛生洗浄装置１００などが備える各要素の形状、寸法、材質、配置、設置形態など
は、例示したものに限定されるわけではなく適宜変更することができる。  
また、前述した各実施の形態が備える各要素は、技術的に可能な限りにおいて組み合わ
せることができ、これらを組み合わせたものも本発明の特徴を含む限り本発明の範囲に包
含される。
【符号の説明】
【００４９】
１０ トイレユニット
２０ ボルト（取付部材）
５０ 便器、
５０ａ 上面
５１ ボウル部
５２ 貫通孔
１００ 衛生洗浄装置（トイレ装置）
１１０ ケーシング
１２０ 便座
１３０ 便蓋
２００ ベースプレート
２０２ 取付穴
２０４ 凹部
２０４ａ〜２０４ｄ 内側面
２０４ｅ 底面
２０４ｆ、２０４ｇ 傾斜部
２０６ 上方規制部
２０６ａ〜２０６ｃ 突出部
２０７、３０７ 水平規制部
２０８ａ 第１平面部
２０８ｂ 第２平面部
２０８ｃ 傾斜部
２１０ 本体カバー
２１２ 当接リブ
２２０ ナット（被取付部材）
２３０ 機能部
２３１ 加熱部
２３２ 洗浄ノズル
２３３ 送風ファン
２３４ 脱臭ファン
２３５ 制御部
２４０ 送風ダクト
２４２ 脱臭ダクト
２４４ 排出ダクト
２４６ 壁面部
２４８ 浸入防止壁部
【図１】
0006701599.tif 000002
【図２】
0006701599.tif 000003
【図３】
0006701599.tif 000004
【図４】
0006701599.tif 000005
【図５】
0006701599.tif 000006
【図６】
0006701599.tif 000007